(57)【特許請求の範囲】
【請求項１】
弾性変形自在なリップ部を前面フランジから底面フランジに亘って備え、リクライニング機構用のブラケットプレートが突出するシートバックの下側部を被包する断面略コの字状のリクライニングシート用サイドカバーにおいて、前面フランジ，底面フランジの各フランジ面と対面しないリップ面を内方に折り込んで所定の立上り代を有する襞部を付形し、前面フランジから底面フランジに亘る長手方向の伸長を該襞部で許容するリップ部を備えてなることを特徴とするリクライニングシート用サイドカバー。
【請求項２】
前面フランジから底面フランジに亘る長手方向の伸長を許容する襞部を前面フランジの上端寄りと底面フランジの後端寄りに相応させて二個所に付形したリップ部を備えてなることを特徴とする請求項１に記載のリクライニングシート用サイドカバー。
【発明の詳細な説明】
【０００１】
【発明の属する技術分野】
本発明は、リクライニング機構用のブラケットプレートが突出するシートバックの下側部を被包するリクライニングシート用のサイドカバーに関するものである。
【０００２】
【従来の技術】
一般に、自動車用リクライニングシートは、図４で示す（以下、片側のみ図示）ようにシートバック１の下方に突出するブラケットプレート２とシートクッション３の後部より立ち上るブラケットプレート４とを端部間で相対させて枢軸シャフト５で軸承連結し、その枢軸シャフト５を支軸としてシートバック１の下側部に装備するリクライニング機構（図示せず）で後前に傾倒可能に構成されている。
【０００３】
そのリクライニングシートとしては、図５で示すようにブラケットプレート２が突出するシートバック１の下側部を被包するようサイドカバー６を装備するものがある。このサイドカバー６は、図６で示すようにシートバック１の両下側部に取付け装備されている。
【０００４】
そのサイドカバー６は、カバー本体６０をシートバック１の下側部と形状的に合わせて断面略コの字状に樹脂成形すると共に、弾性変形自在なゴム製のリップ部７を前面フランジ６１から底面フランジ６２に亘って備えることにより形成されている。
【０００５】
そのサイドカバー６のリップ部７は、図７で示すようにシートバック１を前倒しする際に、シートクッション３の側部が当接するに伴って弾性変形するようサイドカバー６の前面フランジ６１から底面フランジ６２のフランジ面と面一に張設されている。
【０００６】
そのサイドカバー６は、図５で示すようにリップ部７をシートバック１の側部に突端縁であてがい配置すると共に、カバー本体６０を外部からブラケットプレート２の板面にねじ止め固定することによりシートバック１の下側部に取り付けられている。
【０００７】
そのサイドカバー６では、リップ部７が前面フランジ６１から底面フランジ６２のフランジ面と面一の板状に張設されているため、度重なる使用により、ヘタリや千切れ等がリップ部７に生ずる虞れがある。
【０００８】
【発明が解決しようとする課題】
本発明は、簡単な構造の変更により、度重なる使用に伴っても、ヘタリや千切れ等の発生を防げるリップ部を備えたリクライニングシート用のサイドカバーを提供することを目的とする。
【０００９】
【課題を解決するための手段】
本願の請求項１に係るリクライニングシート用サイドカバーにおいては、弾性変形自在なリップ部を前面フランジから底面フランジに亘って備え、リクライニング機構用のブラケットプレートが突出するシートバックの下側部を被包する断面略コの字状のもので、前面フランジ，底面フランジの各フランジ面と対面しないリップ面を内方に折り込んで所定の立上り代を有する襞部を付形し、前面フランジから底面フランジに亘る長手方向の伸長を該襞部で許容するリップ部を備えることにより構成されている。
【００１０】
本願の請求項２に係るリクライニングシート用サイドカバーにおいては、前面フランジから底面フランジに亘る長手方向の伸長を許容する襞部を前面フランジの上端寄りと底面フランジの後端寄りに相応させて二個所に付形したリップ部を備えることにより構成されている。
【００１１】
【発明の実施の形態】
以下、図１〜図３を参照して説明すると、図示実施の形態はワゴン車の複数人掛け用リアシートをリクライニングシートとして構成するのに適用されている。図１〜図３中、図４〜図７で示すものと共通の構成部は同じ符号を用いて示す。符号１はシートバック、２はシートバック１のブラケットプレート、３はシートクッション、４はシートクッションのブラケットプレート、５は枢軸シャフト、６はサイドカバー、７はサイドカバー６のリップ部を示す。
【００１２】
そのワゴン車の複数人掛け用リアシートにおいて、ウオークスルー空間を広く確保するべく、ブラケットプレート２の突出するシートバック１の下側部を内側に窪ませて形成し、サイドカバー６はシートバック１の凹部内に配置されるブラケットプレート２を覆って外方に張り出させないようシートバック１の両下側部に取り付けられている。
【００１３】
そのサイドカバー６自体は、既存のものと構成上変わりなく、図１で示すようにカバー本体６０をシートバック１の下側部に合わせて断面略コの字状に樹脂成形すると共に、弾性変形自在なゴム製のリップ部７を前面フランジ６１から底面フランジ６２に亘って備え付けることにより形成されている。
【００１４】
そのリップ部７としては、図２で示すように前面フランジ６１，底面フランジ６２の各フランジ面と対面しないリップ面を相対させて内方に折込み付形した襞部７０，７１を設けたものが備え付けられている。この襞部７０，７１は、サイドカバー６の前面フランジ６１から底面フランジ６２に亘る長手方向の伸長を許容するよう所定の立上り代を有するもので、前面フランジ６１の上端寄りと底面フランジ６２の後端寄りに相応させて二個所程度設けるとよい。
【００１５】
そのリップ部７は、図２で示すように内曲げフランジ７２を設けて長手方向をサイドカバー６の内面より立ち上がるピン６３ａ，６３ｂ…の突端と抜き穴で接着固定し、また、上端寄りをサイドカバー６の内面に設けた舌片（図示せず）とスリットで接着固定することによりサイドカバー６に取り付けられている。
【００１６】
サイドカバー６自体は、既存のものと同様に、リップ部７を前方に向けてシートバック１の側部に突端縁であてがい配置すると共に、カバー本体６０を外部からブラケットプレート２の板面にねじ止め固定することによりシートバック１の下側部に取り付けられている。
【００１７】
このように構成するリクライニングシートでは、シートバック１の前倒しに伴ってシートクッション３の側部がサイドカバー６のリップ部７に当接すると、襞部７０，７１の相対面が拡開することによりリップ部７が変形し、一方、シートバック１の復帰に伴ってシートクッション３の側部との当接が解除されると、襞部７０，７１の相対面が近接することによりリップ部７が復元する。
【００１８】
その襞部７０，７１が蛇腹状に伸縮することから、リップ自体を大きく撓み変形させる大きな応力が作用しないため、度重なる使用によっても、ヘタリや千切れ等がリップ部７に生ずるのを防げる。特に、襞部７０，７１を前面フランジ６１の上端寄りと底面フランジ６２の後端寄りの二個所に設けると、蛇腹作用を効果的に発揮できる。
【００１９】
【発明の効果】
以上の如く、本願の請求項１に係るリクライニングシート用サイドカバーに依れば、前面フランジ，底面フランジの各フランジ面と対面しないリップ面を内方に折り込んで所定の立上り代を有する襞部を付形し、前面フランジから底面フランジに亘る長手方向の伸長を襞部で許容するリップ部を備えることにより、ヘタリや千切れ等がリップ部に生ずるのを防げて使用耐久性を高めることができる。
【００２０】
本願の請求項２に係るリクライニングシート用サイドカバーに依れば、前面フランジから底面フランジに亘る長手方向の伸長を許容する襞部を前面フランジの上端寄りと底面フランジの後端寄りに相応させて二個所に付形したリップ部を備えることにより、襞部の伸縮による蛇腹作用を効果的に発揮でき、リップ自体を大きく撓み変形させないで長手方向の伸長を許容することができる。
【図面の簡単な説明】
【図１】本発明に係るサイドカバーを備えたリクライニングシートのシートバックを示す斜視図である。
【図２】図１のリクライニングシートに装備するサイドカバーを内面側から示す斜視図である。
【図３】図１のリクライニングシートに装備するサイドカバーを変形状態（シートバックの前倒し状態）で示す斜視図である。
【図４】一般例に係るサイドカバーを備えたリクライニングシートを示す側面図である。
【図５】図４のサイドカバーを備えたリクライニングシートのシートバックを示す斜視図である。
【図６】図４のリクライニングシートを全体的に示す斜視図である。
【図７】図４のリクライニングシートを前倒し状態で示す側面図である。
【符号の説明】
１            シートバック
２            ブラケットプレート
６            サイドカバー
６１          サイドカバーの前面フランジ
６２          サイドカバーの底面フランジ
７            サイドカバーのリップ部
７０，７１    リップ部の襞部
【図１】
0004835891.tif 000002
【図２】
0004835891.tif 000003
【図３】
0004835891.tif 000004
【図４】
0004835891.tif 000005
【図５】
0004835891.tif 000006
【図６】
0004835891.tif 000007
【図７】
0004835891.tif 000008